(57)【要約】【課題】  リモートコントローラに液晶表示等の予約コードの入力状態（入力過程・結果）を確認するための機能がない場合であっても、予約コードの入力作業が容易な番組予約装置を提供する。【解決手段】  ＩＲ受光部１１１は、リモートコントローラ１２０から送信されたＧコードの信号を１つのボタンが操作される度に受光する。ＣＰＵ１１０は、Ｇコードの入力状態をＴＶスピーカー１０９から音声として出力する。例えばＧコード入力のためには数字が入力されるので、この入力された数字に対応する音声信号を再生して音声再生部１０７へ出力する。この音声信号は音声制御部１０８を介してスピーカー１０９へ供給され音声信号として再生される。Ｇコード入力に応じた内容を聞く事で、正しく番組予約したことが把握できる。【選択図】      図１
2006287645.tif 000002
【特許請求の範囲】
【請求項１】
リモートコントローラから送信された番組予約のための番組予約コードを受信する受信手段と、
この受信手段により受信された前記番組予約コードを音声として出力する出力手段とを備えたことを特徴とするテレビジョン受信装置。
【請求項２】
前記出力手段は、前記コード全体が入力されたときに前記番組予約コードの全体を音声再生することを特徴とする請求項１記載のテレビジョン受信装置。
【請求項３】
テレビジョン信号を受信できない状態にまで各部の電源供給を断つ待機モードと、テレビジョン信号を受信できる状態にまで各部の電源供給する通常動作モードとに制御し、待機モードに制御しているときに前記リモートコントローラから前記番組予約コードが入力されると、前記待機モードから前記通常動作モードに受信装置を切り換える制御手段を有することを特徴とする請求項１または２に記載のテレビジョン受信装置。
【請求項４】
受信したテレビジョン信号を表示する表示手段を有し、
前記制御手段は、待機モードに制御しているときに前記リモートコントローラから前記番組予約コードが入力されると、前記表示手段への電源を供給することなしに、前記待機モードから前記通常動作モードに受信装置を切り換えることを特徴とする請求項３に記載のテレビジョン受信装置。
【請求項５】
リモートコントローラから送信された番組予約のための番組予約コードを受信する受信手段と、
テレビジョン信号を受信できない状態にまで各部の電源供給を断つ待機モードと、テレビジョン信号を受信できる状態にまで各部の電源供給する通常動作モードとに制御し、待機モードに制御しているときに前記リモートコントローラから前記番組予約コードが入力されると、前記待機モードから前記通常動作モードに受信装置を切り換える制御手段と、
この受信手段により受信された前記番組予約コードを映像として出力する出力手段と、
前記制御手段が待機モードに制御しているときに前記リモートコントローラから前記番組予約コードが入力されると、前記制御手段に前記待機モードから前記通常動作モードに受信装置を切り換えさせ、前記出力手段が表示する画面の一部に前記番組予約コードを映像として出力させる表示出力制御手段とを備えたことを特徴とするテレビジョン受信装置。
【請求項６】
電子番組ガイド情報を受信する受信手段と、
この受信した電子番組ガイド情報を記憶するメモリと、
前記番組予約コードに対応する番組に関する番組関連情報を前記メモリに記憶されている前記電子番組ガイド情報から検索する検索手段とを備え、
前記出力手段は、前記検索手段により検索された情報を出力することを特徴とする請求項１,２，３，５のいずれか１項に記載のテレビジョン受信装置。
【請求項７】
電子番組ガイド情報を受信する受信手段と、
この受信した電子番組ガイド情報を記憶するメモリと、
前記番組予約コードに対応する番組に関する番組関連情報を前記メモリに記憶されている前記電子番組ガイド情報から検索する検索手段と、
この検索された番組と同じジャンルの番組を前記メモリに記憶されている前記電子番組ガイド情報から検索する類似番組検索手段とを備え、
前記出力手段は、前記類似番組検索手段により検索された類似番組の情報を出力することを特徴とする請求項６に記載のテレビジョン受信装置。
【請求項８】
番組を表示するためのディスプレイとしてＳＥＤディスプレイを有し、
テレビジョン信号を受信できない状態にまで各部の電源供給を断つ待機モードと、テレビジョン信号を受信できる状態にまで各部の電源供給する通常動作モードとに制御し、待機モードに制御しているときに前記リモートコントローラから前記番組予約コードが入力されると、前記待機モードから前記通常動作モードに受信装置を切り換える制御手段を有し、
前記制御手段はＳＥＤディスプレイの垂直または水平駆動部の電源については待機せずにオン状態としておくことを特徴とする請求項１または２に記載のテレビジョン受信装置。
【発明の詳細な説明】
【技術分野】
【０００１】
この発明は、番組を記録或いは視聴するために番組を予約する番組予約機能を備えたテレビジョン受信装置に関する。
【背景技術】
【０００２】
従来、番組を記録或いは視聴するために番組を予約する番組予約機能を備えたテレビジョン受信装置が知られている。例えば、Ｇコード（登録商標）による方式では、録画予約する日時やチャンネル情報ではなく、数字によるコードを用いることにより番組の予約を行っている（例えば、特許文献１参照）。
【０００３】
このコードは通常リモートコントローラを用いて入力し、記録機器等へ転送される。
このときリモートコントローラに液晶表示等の入力状態を確認するための機能がない場合、ＴＶのモニターを利用してＧコード入力画面を表示させて入力すること等が行われているが、Ｇコード表、リモートコントローラ、ＴＶ画面と言った三点を見ながら設定をするため作業が容易でない。
【特許文献１】特開平８−３１５４４８号公報
【発明の開示】
【発明が解決しようとする課題】
【０００４】
このように従来の番組予約装置においては、リモートコントローラに液晶表示等の予約コードの入力状態（入力過程）を確認するための機能がない場合、予約コードの入力作業が容易でないという問題があった。
【０００５】
この発明は、リモートコントローラに液晶表示等の予約コードの入力状態（入力過程）を確認するための機能がなくても、ＴＶのスピーカーを利用して音声により番組予約コードの入力状態を確認することにより、予約コードの入力作業が容易な番組予約機能を備えたテレビジョン受信装置を提供することを目的とする。
【０００６】
また、この発明はリモートコントローラに液晶表示等の予約コードの入力状態（入力過程）を確認するための機能がなくても、ＴＶの電源が入っていなくても自動的に電源を投入させ、ＴＶ画面を利用してＴＶ画面により番組予約コードの入力状態を確認することにより、予約コードの入力作業が容易な番組予約機能を備えたテレビジョン受信装置を提供することを目的とする。
【課題を解決するための手段】
【０００７】
上記の目的を達成するために、この発明においては、リモートコントローラから送信された番組予約のための番組予約コードを受信する受信手段と、この受信手段により受信された前記番組予約コードを音声として出力する出力手段とを備えたことを特徴とするテレビジョン受信装置を提供する。
【０００８】
なお、装置に係る本発明は方法に係る発明としても成立し、方法に係る本発明は装置に係る発明としても成立する。
本実施形態は、典型的には、ソフトウェアで制御されるコンピュータにより実現される。この場合のソフトウェアは、プログラムやデータを含み、コンピュータのハードウェアを物理的に活用することで本発明の作用効果を実現するものであり、従来技術を適用可能な部分には好適な従来技術が適用される。さらに、本発明を実現するハードウェアやソフトウェアの具体的な種類や構成、ソフトウェアで処理する範囲などは自由に変更可能である。従って、以下の説明では、本発明を構成する機能毎にブロック化して図示した仮想的機能ブロック図を用いる。なお、コンピュータを動作させて本発明を実現するためのプログラムも、本発明の一態様である。
【発明の効果】
【０００９】
この発明によれば、リモートコントローラに液晶表示等の予約コードの入力状態（入力過程）を確認するための機能がなくても、予約コードの入力作業が容易な番組予約機能を備えたテレビジョン受信装置を提供することができる。
【発明を実施するための最良の形態】
【００１０】
以下、図面を参照しながら本発明の実施の形態について説明する。
（第１の実施形態）
図１は、本発明の第１の実施形態に係るテレビジョン受信装置１００の構成を示すブロック図である。
アンテナ１０１で受信されたデジタルテレビジョン放送信号は、チューナ部１０２に供給されて特定のチャンネルの信号が選局される。
このチューナ部１０２で選局された放送信号は、信号処理部１０３に供給される。
この信号処理部１０３は、チューナ部１０２から入力された放送信号に対して、エラー訂正処理，スクランブル解除処理及びＴＳ（Transport Stream）パケット変換処理を施し、この変換したパケットの中から映像信号のパケットを映像再生部１０４、音声信号のパケットを音声再生部１０７に出力する。
【００１１】
映像再生部１０４は、パケット化され信号処理部１０３から入力された映像信号を、例えばＭＰＥＧ（Moving Picture Experts Group）圧縮符号化処理等の圧縮符号化処理に対応したデコード処理を施すことによりアナログの映像信号を再生し、表示制御部１０５へ出力する。
【００１２】
表示制御部１０５は、例えばＯＳＤ（On Screen Display）処理を行うものであり、映像再生部１０４から入力された映像信号に特定のＯＳＤ信号を重畳して、ディスプレイ１０６へ出力する。
【００１３】
ディスプレイ１０６は、例えばＳＥＤ（Surface-conduction Electron-emitter Display）やＣＲＴ（Cathode Ray Tube）からなる表示装置であり、表示制御部１０５から入力された映像信号を表示する。
【００１４】
音声再生部１０７は、パケット化され信号処理部１０３から入力された音声信号を、例えばＭＰＥＧ（Moving Picture Experts Group）圧縮符号化処理等の圧縮符号化処理に対応したデコード処理を施すことによりアナログの映像信号を再生し、音声制御部１０８へ出力する。
【００１５】
音声制御部１０８は、例えばＭＰＥＧ（Moving Picture Experts Group）圧縮符号化処理等の圧縮符号化処理に対応したデコード処理を行うものであり、音声再生部１０８から入力された音声信号をデコード処理して、スピーカー１０９へ出力する。
【００１６】
スピーカー１０９は、音声制御部１０８から入力された音声信号を音として再生する。
ＣＰＵ１１０は、記憶しているプログラムを実行することによりテレビジョン受信装置１００全体の各種制御を行う。
ＩＲ受信部１１１は、リモートコントローラ１２０からのＩＲ信号を受信し、ＣＰＵ１１０へ出力する。
サブ電源部１０は、ＣＰＵ１１０からの制御信号により制御され、テレビジョン受信装置１００内の各部の電源を制御する。
テレビジョン受信装置１００の主電源が投入されている場合にはＣＰＵ１１０、メモリ１１２、ＩＲ受光部１１１に電源が供給される。
さらにテレビジョン受信装置１００は通常視聴モードと、待機モードとを有している。
通常視聴モード時、ＣＰＵ１１０はサブ電源部１０からテレビジョン受信装置１００内の各部の電源を供給させる。これによりテレビ番組を視聴することができる。
待機モード時、ＣＰＵ１１０はサブ電源部１０からテレビジョン受信装置１００内の各部の電源を供給させない。これによりテレビジョン受信装置１００を低消費電力である待機状態とすることができる。この待機状態ではリモートコントローラ１２０からのＩＲ信号を受け付けることが可能である。このため待機モード時にリモートコントローラ１２０から電源ＯＮする制御信号を受けると、ＣＰＵ１１０はサブ電源部１０からテレビジョン受信装置１００内の各部の電源を供給させることによりテレビジョン受信装置１００による通常の番組視聴動作を行わせる。
【００１７】
リモートコントローラ１２０はテレビジョン受信装置１００を制御するためのコントローラであり、例えばＩＲを用いてテレビジョン受信装置１００へ各種コントロール信号を送信する。このためリモートコントローラ１２０はＩＲ発光部１２１を備えている。上記した各種コントロール信号には、テレビジョン受信装置１００のチャンネル切替え、ボリューム切替え、Ｇコード等が含まれている。
【００１８】
この他、リモートコントローラ１２０の構成としては、各種制御を行う制御部、各種制御信号を記憶しているメモリ等を備えているが、これらリモートコントローラの構成は、従来のものと同じであり、本発明の特徴部でないため、詳細な説明は省略する。
【００１９】
現在地上アナログ放送電波を利用したＥＰＧ（Electric Program Guide）としてはＧ−ＧＵＩＤＥ（登録商標）とＡＤＡＭＳ−ＥＰＧの二種類がある。
【００２０】
Ｇ−ＧＵＩＤＥ方式（地上波放送を使ったＶＢＩ方式）は、ＴＢＳ系列を中心とした放送局の電波にのせて、番組データが提供されている。この方式では、ホスト局の放送電波で番組データを１日数回送信される。
【００２１】
ＡＤＡＭＳ−ＥＰＧ方式は、テレビ朝日系列の放送局の電波にのせて番組データが提供されている。
（音声再生による入力した情報の確認）
次に、このように構成されたテレビジョン受信装置１００のＧコード予約時の動作について図２のフローチャートを用いて詳細に説明する。
この例では、リモートコントローラ１２０にはＧコードの入力経過を確認するためのディスプレイが備えられていないものとして説明するが、備えられていてもよい。この例ではユーザは、テレビジョン受信装置１００のディスプレイ１０６或いはスピーカー１０９によって入力経過を確認する。
【００２２】
（ステップＳ２０１）
ユーザはリモートコントローラ１２０を操作しＧコードに応じた操作入力を行う。これは例えばＧコードの数字入力である。リモートコントローラ１２０は、このユーザによる操作入力に応じた信号がＩＲ発光部１２１からテレビジョン受信装置１００へ向けて発光される。例えば、入力しようとしているＧコードが「１２３４５」であるときに、操作ボタンの操作によって最初の「１」が入力されたことを示す信号がＩＲ発光部１２１からテレビジョン受信装置１００へ向けて発光される。
【００２３】
ＩＲ受光部１１１は、リモートコントローラ１２０内のＩＲ発光部１２１から送信されたＧコードの信号を１つのボタンが操作される度に受光し、ＣＰＵ１１０へ供給する。なお、この例ではＧコードとしたが、必ずしもＧコードでなくてもよく、例えばＧコードのように予約に関する情報であればよい。
【００２４】
（ステップＳ２０２）
次に、ＣＰＵ１１０は、ＩＲ受光部１１１からＧコードを受けると、テレビジョン受信装置１００の電源が入っているか否かを判断する。
（ステップＳ２０３）
ステップＳ２０２の判断が、テレビジョン受信装置１００の電源は入っていないことを示す場合、ＣＰＵ１１０はディスプレイ１０６を点灯させずにテレビジョン受信装置１００の電源をＯＮにする。
【００２５】
これにより、ディスプレイＯＮしなくてもＧコード入力が可能なことで、ディスプレイ分の消費電力が低減できる。また、ユーザがわざわざテレビジョン受信装置１００の電源ボタンを押して電源投入することなしに、テレビジョン受信装置１００を機能させ、以下に説明するリモートコントローラ１２０の操作入力の確認がすることができる。
【００２６】
（ステップＳ２０４）
ＣＰＵ１１０は、Ｇコードの入力状態をＴＶスピーカー１０９から音声として出力する。この音声出力方法としては、予めリモートコントローラ１２０の操作部（例えば、ボタン等）の操作に応じた音声信号をメモリ１１２に記憶しておき、リモートコントローラ１２０の操作に対応する音声を再生させる。例えばＧコード入力のためには数字が入力されるので、この入力された数字に対応する音声信号を再生して音声再生部１０７へ出力する。この音声信号は音声制御部１０８を介してスピーカー１０９へ供給され音声信号として再生される。
【００２７】
（ステップＳ２０５）
ユーザは、スピーカー１０９から再生された音声を聞きながらＧコードの入力状態を把握する。
ユーザは、スピーカー１０９から再生された音声を聞き、もしＧコードの入力に誤りがあれば修正する（ステップＳ２０６）。この修正にあたっては、例えばＧコードの入力を最初から行うことで入力を修正したり、或いはリモートコントローラ１２０に「１文字分Ｇコードの入力を取り消す」ための操作ボタンを設けておく等して入力を修正する。
【００２８】
（ステップＳ２０６）
ユーザはＧコードの入力が全て完了すると、リモートコントローラ１２０の操作ボタンの一つである「入力完了ボタン」を押す。
（ステップＳ２０７）
ＣＰＵ１１０はステップＳ２０６での「入力完了ボタン」の操作受け、今回の入力結果であるＧコードの全てを音声再生する。上記ステップ２０１の例では、Ｇコード「１２３４５（いち・に・さん・よん・ご）」が音声再生される。
【００２９】
このようにＧコード入力結果を聞く事で、正しく入力したことが把握できる。よって、誤った番組を入力ミス低減効果がある。
（ステップＳ２０８）
ＣＰＵ１１０はメモリ１１２のＥＰＧ情報を保持するための領域に常に最新のＥＰＧ情報を更新している。これはチューナ部１０２により更新されるＥＰＧ情報をメモリ１１２に記憶するようにしてもよいし、或いは図示しないインターネット等のネットワークによって提供されているｉ−ＥＰＧ等の放送タイムテーブルを用いることにより、ＥＰＧ情報を取得してもよい。
【００３０】
ＣＰＵ１１０は、ステップＳ２０７で得た、今回ユーザによって入力されたＧコードに対応するチャネル、時間帯のＥＰＧ情報を用いて番組名等の情報を取得する。
（ステップＳ２０９）
ＣＰＵ１１０は、メモリ１１２内のＥＰＧ情報を保持するための領域に、今回ユーザによって入力されたＧコードに対応するチャネル、時間帯のＥＰＧ情報が存在していれば、この番組情報を音声出力する。この音声出力方法としては、メモリ１１２に音声合成用のプログラムおよびデータを予め記録しておき、これを番組情報に応じて合成出力することにより行われる。音声合成方法については従来から知られている技術を用いればよく、例えば特開２００５−２４７９４公報、特開２００５−１８０３６公報、特開２００５−１７５９５公報等の技術を用いればよい。ＥＰＧ情報として日本語扱う場合には、辞書を用いて漢字からカナ文字に置き換えた後、音声合成させれば、ＥＰＧ情報中に漢字が含まれていても問題なく音声信号を再生させることができる。
【００３１】
このようにＥＰＧ情報に含まれる番組内容を音声により知らせてくれることで、本当に予約したかった番組が予約されたのかを確認することができ、誤った番組を予約することを防ぐことができる。
【００３２】
（ステップＳ２１０）
ＣＰＵ１１０は、ステップＳ２０２においてテレビジョン受信装置１００の電源を入れたか否かを判断する。ＣＰＵ１１０は、もしステップＳ２０２においてテレビジョン受信装置１００の電源を入れていなければ、図２の処理を終了する。
【００３３】
（ステップＳ２１１）
ＣＰＵ１１０は、もしステップＳ２０２においてテレビジョン受信装置１００の電源を入れていたならば、テレビジョン受信装置１００の電源をＯＦＦした後で処理を終了する。この電源をＯＦＦとは、リモートコントローラ１２０の信号を受け付け可能で、再度テレビジョン受信装置１００内の各部の電源を投入可能な待機状態にすることを言う。こうすることにより、再度新たなＧコードが入力された場合にも図２の処理を再度実行させることができる。
【００３４】
以上で図２の説明を終了する。
上記したようにＧコード入力状態を耳で確認することが出来、表示を見る必要が無いため操作が容易である。また、Ｇコード入力を耳で聞くことにより、入力誤りを瞬時に把握することで入力誤りに敏速に対応可能となる。
【００３５】
次に、このように構成されたテレビジョン受信装置１００のイベント情報取得（ステップＳ２０８）時の動作を、更に詳しく説明するためのフローチャートである。ステップＳ２０８の動作を図３のフローチャートを用いて詳細に説明する。
【００３６】
（ステップＳ３０１）
はじめにユーザがＧコード（数値）を入力する。
（ステップＳ３０２）
ＣＰＵ１１０は、ステップＳ３０１により入力されたＧコード入力結果を取得する。
（ステップＳ３０３）
ＣＰＵ１１０は、ステップＳ３０２で取得されたＧコードより指定時刻を取得する。
（ステップＳ３０４）
ＣＰＵ１１０は、ステップＳ３０２で取得されたＧコードより、株式会社インタラクティブ・プログラム・ガイドが運用している電子番組表（ＥＰＧ）の情報であるＧガイドを取得する。
【００３７】
（ステップＳ３０５）
ＣＰＵ１１０は、ステップＳ３０４で得たＧガイドからチャンネル番号を取得する。
（ステップＳ３０６）
ＣＰＵ１１０は、ステップＳ３０３で得た指定時刻と、ステップＳ３０５で得たチャンネル番号とからＥＰＧ情報を取得する。
（ステップＳ３０７）
新たにステップＳ３０６でＥＰＧ情報が得られると、このＥＰＧ情報を音声で出力（或は小画面で表示）する。
（映像表示による入力の確認）
上記した例ではＧコード入力の確認について、テレビジョン受信装置１００のスピーカー１０９を用いて音声再生により行った。本発明は音声出力による確認の他、映像出力による確認としてもよい。
【００３８】
なお、この場合ＣＰＵ１１０は、図１の映像再生部１０４を制御することによりメモリ１１２に記憶されている図４に示した画面をＣＰＵ１１０自身のＧＵＩ機能を用いて生成してディスプレイ１０６上に表示する。
【００３９】
また、この場合のテレビジョン受信装置１００のＧコード予約時の動作については、上記「（音声再生による入力した情報の確認）」において説明した図２のフローチャートと同じである。ただ、音声信号を出力することによって確認していたのを、映像信号を出力することによって確認するように代えればよい。例えば、図２のステップＳ２０４，ステップＳ２０７，ステップＳ２０９ではディスプレイ１０６への映像出力に代え、図５に示すようにすればよい。また、ステップＳ２０３ではディスプレイ１０６を点灯させて電源をＯＮにする。図５は図２の説明とほぼ同じであるため説明は省略する。
【００４０】
以下、このように映像出力により確認する場合のテレビジョン受信装置１００のＧコード入力画面表示例について図４の表示例を用いて詳細に説明する。
（ステップＳ４０１）
ユーザのリモートコントローラ１２０の操作によるＧコードの入力過程を、図４（ａ）に示すようにディスプレイ１０６上に小画面として表示する。これは図２の音声により確認したステップＳ２０４に対応するものである。
【００４１】
（ステップＳ４０２）
ＣＰＵ１１０は、ステップＳ４０１にて全てのＧコード入力後、放送波から得たＥＰＤ情報を取得して予約日時及び番組名を図４（ｂ）に示すように表示する。
（ステップＳ４０３）
ＣＰＵ１１０は、予め設定されている表示モードをメモリ１１２から読み出し、これに応じて「ジャンル」，「シリーズ」，「オフ」の３モードに応じて関連情報の表示を行う。
【００４２】
この３つの表示モードの内、テレビジョン受信装置１００をいずれの表示モードに設定しておくかについては、予めＵＩ機能を用いてメモリ１１２が記憶しておくようにしてもよいし、リモートコントローラ１２０に表示モードを切り換えるためのボタンを設けておき、このステップＳ４０３にていずれかのモードを選択させるようにしてもよい。
【００４３】
（ステップＳ４０４ａ）
ＣＰＵ１１０は、ステップＳ４０３で判定した表示モードが「ジャンル」であった場合、ステップＳ４０２にて取得したＥＰＤ情報を用いて、Ｇコード入力された番組と同一または類似するジャンルの番組をＥＰＧ情報から検索して表示する。そしてＣＰＵ１１０は、検索された番組の中から番組予約を可能に制御する。具体的にはＥＰＧ情報を用いて検索された番組を予約可能とする。
【００４４】
この結果、録画したい番組の類似ジャンル番組が容易に録画予約可能になり、視聴したいジャンルの番組が簡単に探せて、予約も可能になる。
このステップＳ４０４ａでは、同じ時間帯に放送されている番組の中から同一または類似するジャンルを探して表示するのか、或いは時間を限定せずにこれから
先の未来に放送を予定している番組の中から探して表示してもよい。
（ステップＳ４０４ｂ）
ＣＰＵ１１０は、ステップＳ４０３で判定した表示モードが「シリーズ」であった場合、ステップＳ４０２にて取得したＥＰＤ情報を用いて、Ｇコード入力された番組のシリーズ情報を表示する。そしてＣＰＵ１１０は、検索された番組の中から番組予約を可能に制御する。具体的にはＥＰＧ情報を用いて検索された番組を予約可能とする。
【００４５】
この結果、録画したい番組のシリーズ番組が容易に録画予約可能になり、視聴したいシリーズの番組が簡単に探せて、予約も可能になる。
（ステップＳ４０４ｃ）
ＣＰＵ１１０は、ステップＳ４０３で判定した表示モードが「オフ」であった場合、何もせずに図４の処理を終了する。
（他の変形例）
ＣＰＵ１１０は、Ｇコード入力結果から番組時間を取得する。この番組時間からＥＰＧ情報を検索してＧコードに対応する番組を決定し、この番組の番組時間を取得する。次に、ＣＰＵ１１０は２つの番組時間の間にズレがあったとき、ＥＰＧ情報から得られた番組時間を優先して採用し、ＥＰＧ情報から得られた番組時間に合わせて番組予約設定を行う。ＥＰＧ情報から得られた番組時間を優先するのは、Ｇコードが全ての番組について正しい番組開始・終了時刻を表現できないからである。
【００４６】
こうすることにより、実際に録画すべき正しい時間だけ録画することが可能となり、無駄な録画時間を低減させることが出来る。
以上説明した通り、この発明によれば、Ｇコード入力状態をＴＶスピーカーを利用して音声出力させ、入力過程を聞きながら設定を行うことができる。
また、Ｇコード入力結果よりＥＰＧ情報を取得して番組情報を表示させる。この際、関連番組等が存在した場合、その旨を表示させることができる。
（ディスプレイ１０６としてＳＥＤを用いた例）
図６は、ディスプレイ１０６としてＳＥＤを使用した場合の例であり、ディスプレイ１０９の構成を示す図である。
図６において、ディスプレイ１０６は、入力端子６０１、入力回路６０２、制御部６０３、映像信号処理部６０４、信号線駆動部６０５、走査線駆動部６０６ａおよび６０６ｂ、電源制御部６１１、第１電源部６１２、第２電源部６１３、表示部６０７から構成されている。
【００４７】
入力端子６０１には、外部から映像信号が供給される。
入力回路６０２は、表示部６０７に表示するための映像信号を映像信号処理部６０４へ供給する。また、入力回路６０２は、入力端子６０１から入力された映像信号から同期信号を抽出し、ディスプレイ１０９内で使用するための映像信号に同期したクロックを生成すると共に、各種タイミング信号を生成して制御部６０３へ供給する。
【００４８】
映像信号処理部６０４は、映像信号をディスプレイ１０６の表示部６０７に適合した信号に変換するもので、例えばＲＧＢの画像データを、各ＲＧＢ用の信号線に振り分ける。この映像信号処理部６０４からの画像データは、アナログ変換されて、信号線駆動部６０５に１水平ライン単位で供給される。
【００４９】
信号線駆動部６０５からの１走査線分の信号は、一斉に表示部６０７の対応する電子放出源グループに供給される。電子放出源グループは、走査線駆動部６０６ａ，６０６ｂにより選択される。走査線駆動部６０６ａ，６０６ｂは、表示部６０７の走査線の左側と、右側を受け持ち駆動するために設けられている。しかし、走査線駆動部６０６は、いずれか一方のみが設け、１ライン全てを受け持つ構成としてもよい。
【００５０】
上記の信号線駆動部６０５、走査線駆動部６０６ａ，６０６ｂは、走査線及び信号線に対して、適切な電圧を与えなければならない。次に電源系統について説明する。
【００５１】
制御部６０３からのタイミング信号は、電源制御部６１１に供給されている。
電源制御部６１１は、第１電源部６１２及び第２電源部６２３を制御することができる。
第２電源部６１３は、信号線駆動部６０５から信号線に与えられる信号の基本となる電圧を決めている。
第１電源部６１２は、電圧Ｖｙを出力することができる。
図１において、ｘ１、ｘ２、ｘ３、…は、信号ドライバ線であり、ｙ１、ｙ２、ｙ３、…は、走査ドライバ線である。信号ドライバ線と走査ドライバ線との交差部の付近には、画素を構成するための複数の素子Ｐが２次元的に配列されている。
【００５２】
図７は、表示部６０７の構成例を示すとともにＳＥＤの基本的な原理を説明するための図である。
背面基板は、ガラス基板７１４上に、素子Ｐを形成する電子放出源７０３ａ，７０３ｂ，７０３ｃ，…が配列されている。電子放出源７０３は、ここでは３つが示されているが、ガラス基板７１４上に２次元的に配列されて表示領域を形成している。
【００５３】
また電子放出源７０３の各々には、１つの走査ドライバ線と１つの信号ドライバ線が接続されている。
複数の信号ドライバ線７０１ａ、７０１ｂ、７０１ｃは、ガラス基板７１４上に平行に配置されており、縦方向に沿って配線されている。また複数の走査ドライバ線７０２ａ、７０２ｂ、７０２ｃは、ガラス基板７１４上に平行に配置されており、横方向に沿って配線されている。
【００５４】
電子放出源の一方の電極は走査線駆動部７０６ａ，７０６ｂからの走査ドライバ線に接続され、他方の電極は信号線駆動部７０５からの信号ドライバ線に接続されている。
【００５５】
従って、電子放出源の２つの電極間には、走査ドライバ線からの電圧と信号ドライバ線からの電圧との差の電位が生じる。
この２つの電極間で放出された電子は、前面基板側のメタルバック７１３に向かって進み、メタルバック７１３の裏側に形成されている蛍光体層７１２の蛍光体に衝突し、ここで発光が生じる。蛍光体層７１２は、例えばＲＧＢの蛍光体層と、この蛍光体層間のブラックマトリックス層を含む。この蛍光体層７１２は、ガラス基板７１１の内面側に形成されている。例えば、電子放出源７０３ａ，７０３ｂ，７０３ｃからの放出電子が、ＲＧＢの蛍光体層に衝突することで、カラー表示を得ることができる。
【００５６】
上記の信号ドライバ線は先の信号線駆動部７０５に接続されており、また走査ドライバ線は先の走査線駆動部７０６ａ，７０６ｂに接続されている。
次に、信号ドライバ線および走査ドライバ線に与えられる電圧について説明する。
図８はＳＥＤにおいて、電子放出源の２つの電極間に与えられる電圧Ｖｆと、放出電流との関係を示す図である。表面伝導型電子放出素子は図３に示すような特性を有しており、電子放出素子の両電極端子間の印加電圧が所定のレベル（閾値：Ｖth）に到達するまでは電子放出が行われず、この閾値Ｖthを超えると印加した電圧に応じて、トンネル電流が流れこの一部が外部に飛び出すようになる。この飛び出した電子を加速電圧により蛍光体に衝突させて蛍光させることにより表示を行うことになるため、単位時間当たりの輝度と駆動電圧の関係も図８に示す特性とほぼ同様なものとなる。
【００５７】
図８において、Ｖｙは走査ドライバ線に与えられる電圧であり、Ｖｘは信号ドライバ線に与えられる電圧である。Ｖｆ＝（Ｖｙ（符号含む）＋Ｖｘ（符号含む））の絶対値である。この図３から分かるように、信号ドライバ線側の電圧Ｖｘを可変することにより、放出電流を制御することができる。このことは信号線駆動部６０５から、信号ドライバ線に出力される信号の電位により輝度を可変できることを意味する。
【００５８】
また、電子放出素子の構造にも依存するが、図８の特性は印加電圧の向きに拠らずほぼ同様なものになる。
上記したステップＳ２０３にて、ステップＳ２０２の判断がテレビジョン受信装置１００の電源が入っていない場合、ＣＰＵ１１０はＳＥＤを用いたディスプレイ１０６を点灯させずにテレビジョン受信装置１００の電源をＯＮにする。
【００５９】
このとき制御部６０３は、第１電源部６１２、第２電源部６１３の一方または両方について電源ＯＦＦとはせず、ＯＮ状態としておく。
こうすることにより画像を表示時の立ち上がりを速くすることができる。
また、画面に小ウィンドウを表示する例に適用する場合には、当該小ウィンドウが表示される領域についてのみ駆動するようにする。この結果、消費電力をより小さくすることができる。
【００６０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６１】
【図１】本発明のテレビジョン受信装置の構成を説明するためのブロック図。
【図２】テレビジョン受信装置のＧコード予約時の動作を説明するためのフローチャート。
【図３】テレビジョン受信装置のイベント情報取得時の動作（図２および図５のステップＳ２０８の動作）を説明するためのフローチャート。
【図４】テレビジョン受信装置の表示画面の例を示す図。
【図５】テレビジョン受信装置のＧコード予約時の動作を説明するためのフローチャート。
【図６】ディスプレイ１０６として、ＳＥＤディスプレイを用いた場合の構成を示す図。
【図７】表示部１０７の構成例を示すとともにＳＥＤの基本的な原理を説明するための図。
【図８】ＳＥＤにおいて、電子放出源の２つの電極間に与えられる電圧Ｖｆと、放出電流との関係を示す図。
【符号の説明】
【００６２】
１００…テレビジョン受信装置、１０１…アンテナ、１０２…チューナ部、１０３…信号処理部、１０４…映像再生部、１０５…表示制御部、１０６…ディスプレイ、１０７…音声再生部、１０８…音声制御部、１０９…スピーカー、１１０…ＣＰＵ、１１１…ＩＲ受信部、１１２…メモリ、１２０…リモートコントローラ、１２１…ＩＲ発光部。
【図１】
2006287645.tif 000003
【図２】
2006287645.tif 000004
【図３】
2006287645.tif 000005
【図４】
2006287645.tif 000006
【図５】
2006287645.tif 000007
【図６】
2006287645.tif 000008
【図７】
2006287645.tif 000009
【図８】
2006287645.tif 000010